(57)【要約】【課題】  カウンターが洗面ボールからの水ハネの影響を受け難く、濡らしたくない物もカウンターに一時的に置くことのできるカウンターユニット。【解決手段】  洗面ボール（２）とその少なくとも一方の側に配置されたカウンター（３Ｒ，３Ｌ）とを備えた洗面化粧台のカウンターユニット（１）。カウンターは、洗面ボールの上端よりも実質的に高い位置に設けられている。洗面ボールとカウンターとの間において、洗面ボールのほぼ上端の高さ位置には、補助カウンター（６Ｒ，６Ｌ）が設けられている。カウンターの下側には、引出し収納部（５Ｒ，５Ｌ）が設けられている。【選択図】  図２
2006006811.tif 000002
【特許請求の範囲】
【請求項１】
洗面ボールと該洗面ボールの少なくとも一方の側に配置されたカウンターとを備えた洗面化粧台のカウンターユニットにおいて、
前記カウンターは、前記洗面ボールの上端よりも実質的に高い位置に設けられていることを特徴とするカウンターユニット。
【請求項２】
前記洗面ボールと前記カウンターとの間において、前記洗面ボールのほぼ上端の高さ位置には補助カウンターが設けられていることを特徴とする請求項１に記載のカウンターユニット。
【請求項３】
前記カウンターの下側には、収納部が設けられていることを特徴とする請求項１または２に記載のカウンターユニット。
【請求項４】
前記収納部は、引出し収納部であることを特徴とする請求項３に記載のカウンターユニット。
【発明の詳細な説明】
【技術分野】
【０００１】
本発明は、洗面化粧台のカウンターユニットに関するものである。
【背景技術】
【０００２】
従来、洗面ボールの両側（あるいは片側）にカウンターが設けられたタイプの洗面化粧台のカウンターユニットが知られている。この場合、化粧品や洗顔時のタオルなどを一時的に置くことができるように、カウンターが比較的広く確保されている場合が多い。
【発明の開示】
【発明が解決しようとする課題】
【０００３】
しかしながら、従来のカウンターユニットでは、カウンターが洗面ボールの上端とほぼ同じ高さ位置に設けられている。このため、カウンターが洗面ボールからの水ハネの影響を受け易く、カウンターが濡れたままに放置されることが多い。その結果、濡らしたくない物、たとえば化粧品や洗顔時のタオルや入浴時の着替えなどを、カウンターに一時的に置くことができなかった。
【０００４】
本発明は、前述の課題に鑑みてなされたものであり、カウンターが洗面ボールからの水ハネの影響を受け難く、濡らしたくない物もカウンターに一時的に置くことのできるカウンターユニットを提供することを目的とする。
【課題を解決するための手段】
【０００５】
前記課題を解決するために、本発明では、洗面ボールと該洗面ボールの少なくとも一方の側に配置されたカウンターとを備えた洗面化粧台のカウンターユニットにおいて、
前記カウンターは、前記洗面ボールの上端よりも実質的に高い位置に設けられていることを特徴とするカウンターユニットを提供する。
【０００６】
本発明の好ましい態様によれば、前記洗面ボールと前記カウンターとの間において、前記洗面ボールのほぼ上端の高さ位置には補助カウンターが設けられている。また、前記カウンターの下側には、収納部が設けられていることが好ましい。この場合、前記収納部は、引出し収納部であることが好ましい。
【発明の効果】
【０００７】
本発明にかかる洗面化粧台のカウンターユニットでは、カウンターが洗面ボールの上端よりも実質的に高い位置に設けられている。その結果、カウンターが洗面ボールからの水ハネの影響を受け難く、たとえば化粧品や洗顔時のタオルや入浴時の着替えなどのように濡らしたくない物も、カウンターに一時的に置くことができる。
【０００８】
なお、本発明では、洗面ボールとカウンターとの間において洗面ボールのほぼ上端の高さ位置（例えば洗面ボールの上端よりもわずかに低い高さ位置）には補助カウンターが設けられていることが好ましい。この構成により、歯磨き用のコップや石鹸（ケース付きまたは単体）や毛染め用のブラシなどのような濡れ物を、補助カウンターに一時的に置くことができる。また、たとえば補助カウンターに直接シャワー水をかけることにより、カウンターを濡らすことなく補助カウンターだけを洗い流して洗浄することができる。
【０００９】
また、本発明では、カウンターの下側に収納部が設けられていることが好ましい。この場合、カウンターが洗面ボールの上端よりも実質的に高い位置に設けられているので、比較的背の高い収納部を確保することができ、洗面化粧台において比較的使用頻度の高い整髪料や化粧品やドライヤーなどを無理なく収納することができる。
【００１０】
その結果、従来技術では例えばミラーの裏側の収納棚に収納していた使用頻度の高い物をカウンターの下側の収納部に収納することになり、使用する高さ位置と収納する高さ位置がほぼ同じになるので、自然な姿勢で物を取り出したり収納したりすることが可能になる。さらに、この場合、カウンターの下側の収納部を引出しタイプの収納部にすることにより、ミラーの裏側の収納棚よりもかなり簡単な動作により、物を取り出したり収納したりすることが可能になる。
【発明を実施するための最良の形態】
【００１１】
本発明の実施形態を、添付図面に基づいて説明する。
図１は、本発明の実施形態にかかるカウンターユニットを備えた洗面化粧台の構成を概略的に示す斜視図である。また、図２は、本実施形態にかかるカウンターユニットの構成を図１とは異なる角度から概略的に示す斜視図である。
【００１２】
図１を参照すると、本実施形態の洗面化粧台ＳＫは、洗面室の床面Ｆ上に設置されたベースキャビネット１０と、このベースキャビネット１０の上に載置されたカウンターユニット１とを備えている。カウンターユニット１の上側には、図中右側から順に、１つのミラー付きの片開き扉を有するサイドミラーキャビネット１１と、３つのミラー付きの片開き扉を有する中央ミラーキャビネット１２と、サイドミラー１３とが設けられている。
【００１３】
また、中央ミラーキャビネット１２の上側には、その幅のほぼ全体に亘って水平方向に延びる照明部１４が取り付けられている。さらに、ベースキャビネット１０およびカウンターユニット１の左側には、上下に間隔を隔てた一対のミラーを有し且つ床面Ｆからサイドミラーキャビネット１１の上端（ひいては照明部１４やサイドミラー１３の上端）まで細長く延びるトールキャビネット１５が設けられている。
【００１４】
図２を参照すると、本実施形態のカウンターユニット１は、その中央に設けられた洗面ボール２と、洗面ボール２の右側に配置された右側カウンター３Ｒと、洗面ボール２の左側に配置された左側カウンター３Ｌとを備えている。ここで、右側カウンター３Ｒと左側カウンター３Ｌとは互いに同じ高さ位置に設けられている。
【００１５】
そして、右側カウンター３Ｒおよび左側カウンター３Ｌは、洗面ボール２の上端よりも実質的に高い位置に設けられている。また、洗面ボール２の底部には排水口２ａが設けられ、洗面ボール２の上側には水栓ユニット４が設けられている。さらに、右側カウンター３Ｒの下側には右側引出し収納部５Ｒが設けられ、左側カウンター３Ｌの下側には左側引出し収納部５Ｌが設けられている。
【００１６】
また、洗面ボール２と左側カウンター３Ｌとの間において洗面ボール２のほぼ上端の高さ位置（例えば洗面ボール２の上端よりもわずかに低い高さ位置）には、左側補助カウンター６Ｌが設けられている。同様に、洗面ボール２と右側カウンター３Ｒとの間において洗面ボール２のほぼ上端の高さ位置には、右側補助カウンター６Ｒ（不図示）が設けられている。なお、洗面ボール２の奥側において、左側補助カウンター６Ｌよりも僅かに低い高さ位置には、オーバーフロー２ｂが設けられている。
【００１７】
以上のように、本実施形態にかかるカウンターユニット１では、カウンター（３Ｒ，３Ｌ）が洗面ボール２の上端よりも実質的に高い位置に設けられている。具体的には、カウンター（３Ｒ，３Ｌ）は、洗面ボール２からの水ハネの影響を実質的に受けないような高さ位置に設けられている。したがって、カウンター（３Ｒ，３Ｌ）が洗面ボール２からの水ハネの影響を受け難く、たとえば化粧品や洗顔時のタオルや入浴時の着替えなどのように濡らしたくない物も、カウンター（３Ｒ，３Ｌ）に一時的に置くことができる。
【００１８】
また、本実施形態では、洗面ボール２とカウンター（３Ｒ，３Ｌ）との間において洗面ボール２のほぼ上端の高さ位置には、補助カウンター（６Ｒ，６Ｌ）が設けられている。したがって、歯磨き用のコップや石鹸（ケース付きまたは単体）や毛染め用のブラシなどのような濡れ物を、補助カウンター（６Ｒ，６Ｌ）に一時的に置くことができる。また、たとえば補助カウンター（６Ｒ，６Ｌ）に直接シャワー水をかけることにより、カウンター（３Ｒ，３Ｌ）を濡らすことなく補助カウンター（６Ｒ，６Ｌ）だけを洗い流して洗浄することができる。
【００１９】
また、本実施形態では、カウンター（３Ｒ，３Ｌ）の下側に、引出し収納部（５Ｒ，５Ｌ）が設けられている。この場合、カウンター（３Ｒ，３Ｌ）が洗面ボール２の上端よりも実質的に高い位置に設けられているので、比較的背の高い収納部（５Ｒ，５Ｌ）を確保することができ、洗面化粧台ＳＫにおいて比較的使用頻度の高い整髪料や化粧品やドライヤーなどを無理なく収納することができる。
【００２０】
その結果、従来技術では例えばミラーの裏側の収納棚（本実施形態の中央ミラーキャビネット１２に対応）に収納していた使用頻度の高い物をカウンター（３Ｒ，３Ｌ）の下側の収納部（５Ｒ，５Ｌ）に収納することになり、使用する高さ位置と収納する高さ位置がほぼ同じになるので、自然な姿勢で物を取り出したり収納したりすることが可能になる。さらに、この場合、カウンター（３Ｒ，３Ｌ）の下側の収納部（５Ｒ，５Ｌ）が引出しタイプの収納部であるため、ミラーの裏側の収納棚よりもかなり簡単な動作により、物を取り出したり収納したりすることが可能になる。
【００２１】
具体的に、ミラーの裏側の収納棚を用いる場合、ミラー付きの片開き扉を開き、使用したい物を棚から取り出し、ミラーを見るためにミラー付きの片開き扉を閉じ、ミラー付きの片開き扉を開き、使用した物を棚に収納し、ミラー付きの片開き扉を閉じる必要がある。これに対し、カウンター（３Ｒ，３Ｌ）の下側の引出し収納部（５Ｒ，５Ｌ）を用いる場合、収納部（５Ｒ，５Ｌ）を引き出して開け、使用したい物を収納部（５Ｒ，５Ｌ）から取り出し、使用した物を収納部（５Ｒ，５Ｌ）に収納し、収納部（５Ｒ，５Ｌ）を押し入れて閉じるだけでよい。
【００２２】
なお、上述の実施形態では、洗面ボール２の両側に一対のカウンター３Ｒおよび３Ｌが配置されている。しかしながら、これに限定されることなく、洗面ボールの片側だけにカウンターが配置されているタイプのカウンターユニットに対しても本発明を適用することができる。
【００２３】
また、上述の実施形態では、ベースキャビネット１０の上にカウンターユニット１を載置したキャビネットタイプの洗面化粧台に対して本発明を適用している。しかしながら、これに限定されることなく、たとえば図３に示すようにカウンターユニット１の下側にベースキャビネットが設けられていないオープンカウンタータイプの洗面化粧台に対しても本発明を同様に適用することができる。
【図面の簡単な説明】
【００２４】
【図１】本発明の実施形態にかかるカウンターユニットを備えた洗面化粧台の構成を概略的に示す斜視図である。
【図２】本実施形態にかかるカウンターユニットの構成を図１とは異なる角度から概略的に示す斜視図である。
【図３】本実施形態にかかるカウンターユニットをオープンカウンタータイプの洗面化粧台に適用した変形例を概略的に示す斜視図である。
【符号の説明】
【００２５】
１  カウンターユニット
２  洗面ボール
３Ｒ，３Ｌ  カウンター
４  水栓ユニット
５Ｒ，５Ｌ  引出し収納部
６Ｒ，６Ｌ  補助カウンター
ＳＫ  洗面化粧台
Ｆ  洗面室の床面
１０  ベースキャビネット
１１  サイドミラーキャビネット
１２  中央ミラーキャビネット
１３  サイドミラー
１４  照明部
１５  トールキャビネット
【図１】
2006006811.tif 000003
【図２】
2006006811.tif 000004
【図３】
2006006811.tif 000005